(57)【要約】【課題】車両の燃費を向上させることができるバルブタイミング調整装置を提供する。【解決手段】バルブタイミング調整装置１は、カム軸側輸送流路２１を有するカム軸２を支持するカムキャリア３０と、クランク軸と連動して回転する駆動回転体６０と、カム軸２と連動して回転する従動回転体７０と、駆動回転体６０の内部に配置された遊星歯車８０とを備える。従動回転体７０はカム軸側輸送流路２１に連通する導入孔７６を有し、駆動回転体６０は導入孔７６よりも径方向外側に配置された排出孔６１５を有する。カムキャリア３０は、排出孔６１５およびカム軸側輸送流路２１に連通するカムキャリア側輸送流路３２を有する。オイルは、排出孔６１５、カムキャリア側輸送流路３２、カム軸側輸送流路２１、および導入孔７６を介して、駆動回転体６０の内部空間を循環することができる。【選択図】図１
2015040509.tif 000002
【特許請求の範囲】
【請求項１】
内燃機関（９０）の駆動軸（９７）から従動軸（２）に駆動力を伝達するとともに、前記従動軸により開閉駆動される吸気弁（９１）および排気弁（９２）の少なくとも一方の開閉タイミングを調整するバルブタイミング調整装置（１）であって、
前記駆動軸と連動して回転可能である容器状の第一回転体（６０）と、
オイルを輸送するための第一輸送流路（２１、２２）を有する前記従動軸の端部に接続され、前記従動軸と連動して回転可能な第二回転体（７０）と、
前記第一回転体の内部に配置され、前記第一回転体と前記第二回転体とを回転伝達可能に連結し、モータ（４０）から加えられる回転力によって前記第一回転体と前記第二回転体との相対回転位相を変化可能な位相調整機構（８０、８３）と、
前記第一回転体の外部に配置され、前記従動軸を回転可能に支持する静止体（３０）と、
を備え、
前記第一回転体は、当該第一回転体を内外に貫通し、前記第一回転体の内部空間にあるオイルを当該第一回転体の外部へ排出する排出流路（６１５、６１７）を有し、
前記静止体は、前記排出流路と前記第一輸送流路とを接続し、前記排出流路から排出されたオイルを前記第一輸送流路に輸送する第二輸送流路（３２、３３）を有し、
前記第二回転体は、前記排出流路に対し径方向内側で当該第二回転体を貫通し、前記第一輸送流路と前記第一回転体の前記内部空間とを接続し、前記第一輸送流路から供給されたオイルを前記第一回転体の前記内部空間に導入する導入流路（７４、７６）を有することを特徴とするバルブタイミング調整装置。
【請求項２】
前記第一回転体の前記内部空間に開口する前記排出流路の開口縁（６１６）は、少なくとも一部が前記第一回転体の内周面（６１８）に接していることを特徴とする請求項２に記載のバルブタイミング調整装置。
【請求項３】
前記第一回転体の前記内部空間、前記排出流路、前記第二輸送流路、前記第一輸送流路および前記導入流路を合わせた領域には、前記排出流路、前記第二輸送流路、前記第一輸送流路および前記導入流路の総容量よりも多いオイルが入っていることを特徴とする請求項１または２に記載のバルブタイミング調整装置。
【請求項４】
前記第二輸送流路には、天地方向の地側に凹む異物溜まり部（３４）が形成されていることを特徴とする請求項１〜３のいずれか一項に記載のバルブタイミング調整装置。
【請求項５】
前記第二輸送流路には、オイル中の異物を捕捉するフィルタ（３５）が設けられていることを特徴とする請求項１〜４のいずれか一項に記載のバルブタイミング調整装置。
【請求項６】
前記第一回転体と前記静止体との間において、前記排出流路および前記第二輸送流路に対して径方向外側には、前記第一回転体と前記非回転体との隙間を液密に封止するシール部材（５１）が設けられていることを特徴とする請求項１〜５のいずれか一項に記載のバルブタイミング調整装置。
【発明の詳細な説明】
【技術分野】
【０００１】
本発明は、バルブタイミング調整装置に関する。
【背景技術】
【０００２】
従来、モータの回転力を利用して内燃機関のバルブタイミングを調整する電動式のバルブタイミング調整装置が知られている。電動式のバルブタイミング調整装置では、クランク軸の回転が伝達される駆動側回転体とカム軸に回転を伝達する従動側回転体という２つの回転体を、遊星歯車が連結している。モータから加えられる回転力によって遊星歯車が２つの回転体の相対回転位相を変更すると、カム軸によって開閉駆動されるバルブの開閉タイミングが変更される。
【０００３】
上述のようなバルブタイミング調整装置では、一方の回転体の内側に遊星歯車が配置されており、２つの回転体と遊星歯車との連結部はポンプから供給されるオイルによって潤滑されている。ポンプによるオイルの供給は常時行われ、余剰分のオイルは、一方の回転体の中央部にある通孔から外部へ排出される。また、特許文献１に開示の装置では、２つの回転体と遊星歯車との接触による摩耗等に起因して生じる異物を外部へ排出するために、一方の回転体が径方向へ貫通する排出孔をさらに有している。オイルに混入した異物は、回転により生じる遠心力を利用してオイルと共に排出孔から外部へ排出される。
【先行技術文献】
【特許文献】
【０００４】
【特許文献１】特開２００８−２１５３１２号公報
【発明の概要】
【発明が解決しようとする課題】
【０００５】
しかしながら、従来のバルブタイミング調整装置では、潤滑に必要なオイルをポンプから常時供給する必要がある。特に特許文献１に開示の装置では、一方の回転体の通孔に加え、排出孔からもオイルが排出されるので、オイルの消費量が過大となる。オイルの消費量が過大となることは、オイルポンプの吐出圧を保つために内燃機関の動力が無駄に使われ、車両の燃費を低下させていることを意味する。
【０００６】
本発明は、このような点に鑑みて創作されたものであり、その目的は、車両の燃費を向上させることができるバルブタイミング調整装置を提供することにある。
【課題を解決するための手段】
【０００７】
本発明に係るバルブタイミング調整装置は、第一回転体、第二回転体、位相調整機構および静止体を備えている。第一回転体は、駆動軸と連動して回転可能な容器状である。第二回転体は、オイルを輸送するための第一輸送流路を有する従動軸の端部に接続され、従動軸と連動して回転可能である。位相調整機構は、第一回転体の内部に配置され、第一回転体と第二回転体とを回転伝達可能に連結し、モータから加えられる回転力によって第一回転体と第二回転体との相対回転位相を変化可能である。静止体は、第一回転体の外側に配置され、従動軸を回転可能に支持する。
【０００８】
第一回転体は、当該第一回転体を内外に貫通し、第一回転体の内部空間にあるオイルを第一回転体外へ排出する排出流路を有している。静止体は、排出流路と第一輸送流路とを接続可能であり、排出流路から排出された潤滑油を第一輸送流路に輸送する第二輸送流路を有している。第二回転体は、排出流路に対し径方向内側で当該第二回転体を貫通し、第一輸送流路と第一回転体の内部空間とを接続可能であり、第一輸送流路から供給された潤滑油を第一回転体の内部空間に導入する導入流路を有している。
【０００９】
上記構成において、内燃機関の運転中、第一回転体、第二回転体および位相調整機構は、駆動軸または従動軸と連動して回転する。そのため、第一回転体の内部空間にあるオイルには遠心力が生じる。遠心力によって第一回転体の内周面に張り付くオイルは、逃げ道として設けられた排出流路を通じて静止体の第二輸送流路に流れ込む。第二輸送流路ではオイルに遠心力がかからないため、元から第二輸送流路にあるオイルは、排出流路から勢いよく流れ込むオイルに押されて径方向内側へ流れる。その後、第一輸送流路および導入流路を通じて再び第一回転体の内部空間に戻る。
【００１０】
以上のように、オイルは、第一回転体と共に回転することで生じる遠心力によって、ポンプを用いずとも第一回転体の内部空間および各流路からなる循環経路を循環することができる。そのため、従来、ポンプからバルブタイミング調整装置に常時供給されていたオイルが不要となり、その分、オイルの消費量を低減することができる。したがって、内燃機関の動力損失が低減し、車両の燃費を向上させることができる。
【図面の簡単な説明】
【００１１】
【図１】本発明の一実施形態によるバルブタイミング調整装置を示す図である。
【図２】図１のＩＩ−ＩＩ線断面図である。
【図３】図１のＩＩＩ−ＩＩＩ線断面図である。
【図４】図１のＩＶ−ＩＶ線断面図である。
【図５】図１のＶ−Ｖ線断面図である。
【図６】図１の矢印ＶＩ部分を拡大して示す図である。
【図７】図１のバルブタイミング調整装置が適用された内燃機関を示す模式図である。
【発明を実施するための形態】
【００１２】
以下、本発明の一実施形態を図面に基づいて説明する。
まず、本実施形態のバルブタイミング調整装置１が設けられる内燃機関９０の駆動力伝達系について、図７を参照して概略を説明する。バルブタイミング調整装置１は、車両に搭載された内燃機関９０内でクランク軸９７からカム軸２、９４へ回転を伝達する駆動力伝達系に設置される。駆動力伝達系では、内燃機関９０の駆動軸としてのクランク軸９７に支持されるギア９８と、従動軸としてのカム軸２、９４に支持されるギア（スプロケット部材）６１、９５とにタイミングチェーン９６が巻き掛けられ、クランク軸９７からカム軸２に駆動力が伝達される。カム軸２は、カム機構を経由して吸気弁９１を開閉駆動し、カム軸９４はカム機構を経由して排気弁９２を開閉駆動する。
【００１３】
本実施形態に係るバルブタイミング調整装置１は、カム軸２の端部に接続され、クランク軸９７とカム軸２と相対回転位相を調整して吸気弁９１の所望の開閉タイミングを実現する。なお、本実施形態では、カム軸２は内燃機関９０のシリンダヘッド（図示しない）の上部を構成するカムキャリア３０に支持されている（図１参照）。カムキャリア３０は、請求の範囲に記載の「静止体」に相当する。
【００１４】
（基本構成）
以下、バルブタイミング調整装置１の基本構成について、図１〜図３を参照して説明する。図１に示すように、バルブタイミング調整装置１は、モータ４０、制御装置（図示しない）、駆動回転体６０、従動回転体７０、遊星歯車８０、遊星キャリア８３、及び、転がり軸受８４、８５を備えている。なお、図１の上下方向は車両の天地方向と実質的に一致する。また、以下では説明のために、カム軸２の延びる方向を軸方向と称し、軸方向に直交する方向を径方向と称する。また、以下の説明において単に「内側」および「外側」という場合、カム軸２の軸を中心とした径方向内側および径方向外側を示している。
【００１５】
モータ４０は、例えばブラシレスモータ等の電動モータであり、正逆回転自在に支持される制御軸４１を有している。制御軸４１はカム軸２と同軸である。制御装置は、例えば駆動回路及びその制御用マイクロコンピュータ等から構成されており、モータ４０と電気的に接続されている。制御装置は、クランク軸９７及びカム軸２間の相対回転位相を調整するため、モータ４０への通電によって制御軸４１の回転状態を制御する。
【００１６】
駆動回転体６０は、スプロケット部材６１、歯車部材６２、第１カバー部材６３、および第２カバー部材６４を有している。スプロケット部材６１及び第１カバー部材６３の間には歯車部材６２が挟まれ、これらはカム軸２と同軸に共締めされている。また、第２カバー部材６４は第１カバー部材６３に同軸上で締結されている。駆動回転体６０は全体としてカム軸２と同軸の容器状に構成され、その内部空間には従動回転体７０、遊星歯車８０、遊星キャリア８３、及び、転がり軸受８４、８５が配置される。
【００１７】
スプロケット部材６１は有底円筒状であり、カム軸２に挿通される底部６１４を有する。スプロケット部材６１の外周部にはスプロケット歯６１１が周方向に複数形成されている。図７を参照して説明したように、タイミングチェーン９６がスプロケット歯６１１に掛け渡されることにより、スプロケット部材６１はクランク軸９７と連結する。クランク軸９７の回転がタイミングチェーン９６を通じてスプロケット部材６１へ伝達されため、駆動回転体６０はクランク軸９７と連動して周方向に回転する。このときの駆動回転体６０の回転方向は、図２の時計方向になる。また、スプロケット部材６１の内側部分には、複数のストッパ凹部６１２が周方向に間隔をあけて形成されている。
【００１８】
歯車部材６２は円環板状であり、その内周部には複数の内歯から構成される駆動側内歯車部６２１が形成されている。第１カバー部材６３は、歯車部材６２の駆動側内歯車部６２１を軸方向から覆うように形成されている。第２カバー部材６４は、モータ４０に挿通されつつ、第１カバー部材６２１の軸方向の開口を覆うように形成されている。以上のスプロケット部材６１、歯車部材６２、第１カバー部材６３、および第２カバー部材６４が組み合わさることにより、容器状の駆動回転体６０が構成される。
【００１９】
従動回転体７０は有底円筒状であり、スプロケット部材６１の内側に配置されている。また、従動回転体７０は、カム軸２の端部に対して同軸に締結される底部７５を有する。この締結によって、従動回転体７０は、カム軸２と連動して回転可能となっている。ここで、従動回転体７０の回転方向は、駆動回転体６０と同じ図３の時計方向になる。
【００２０】
従動回転体７０の内周部には、複数の内歯から構成される従動側内歯車部７１が形成されている。従動側内歯車部７１の内径は駆動側内歯車部６２１の内径よりも小さく設定され、また従動側内歯車部７１の歯数は駆動側内歯車部６２１の歯数よりも少なく設定されている。従動側内歯車部７１は、駆動側内歯車部６２１から軸方向にずれて配置されている。従動回転体７０の外周部には、矩形断面を有する複数のストッパ凸部７２が周方向に間隔をあけて形成されている。各ストッパ凸部７２は、スプロケット部材６１の各ストッパ凹部６１２に挿入された状態で揺動可能となっている。
【００２１】
遊星歯車８０は、全体として段付円筒状であり、歯車部材６２および従動回転体７０の内側に配置されている。遊星歯車８０には、外側へ向けて突出する複数の外歯から構成された２つの外歯車部８１、８２が形成されている。２つの外歯車部８１、８２は軸方向にずれて配置されており、モータ４０側を駆動側外歯車部８１、カム軸２側を従動側外歯車部８２と称する。従動側外歯車部８２の外径は駆動側外歯車部８１の外径よりも小さく設定されている。
【００２２】
図２に示すように、駆動側外歯車部８１は、その外歯が駆動側内歯車部６２１の内歯と噛合するように、駆動側内歯車部６２１の内側に配置される。一方、図３に示すように、従動側外歯車部８２は、その外歯が従動側内歯車部７１の内歯と噛合するように、従動側内歯車部７１の内側に配置される。また駆動側外歯車部８１および従動側外歯車部８２の歯数は、それぞれ駆動側内歯車部６２１および従動側内歯車部７１の歯数よりも同数ずつ少なく設定されている。
【００２３】
遊星キャリア８３は、全体として段付筒状であり、第１カバー部材６３および遊星歯車８０の内側に配置される。遊星キャリア８３は、その内周面が制御軸４１の継手材４２と嵌合することにより、制御軸４１と一体に回転可能である。遊星キャリア８３の内周面は、制御軸４１と同軸である。
【００２４】
遊星キャリア８３の外周面のうち、第１カバー部材６３側の外周面はカム軸２と同軸である。遊星キャリア８３は、転がり軸受８５を介して第１カバー部材６３により相対回転可能に支持されている。
【００２５】
また、遊星キャリア８３の外周面のうち、遊星歯車８０側の外周面は、カム軸２に対して偏心した円筒面状を呈している。この偏心した外周面は、転がり軸受８４を介して遊星歯車８０を遊星運動可能に支持している。ここで遊星運動とは、遊星歯車８０が遊星キャリア８３の外周面の偏心軸を中心に自転しつつ、遊星キャリア８３の内周面の軸を中心に公転する運動をいう。
【００２６】
以上のように、バルブタイミング調整装置１は、制御軸４１の回転状態に応じた遊星キャリア８３の回転運動を遊星歯車８０の遊星運動へと変換する。これによって、駆動回転体６０と従動回転体７０との相対回転位相、すなわちクランク軸９７とカム軸２との相対回転位相を調整し、バルブタイミングを調整する。本実施形態では、遊星歯車８０および遊星キャリア８３が、請求の範囲に記載の「位相調整機構」を構成する。
【００２７】
例えば、制御軸４１が駆動回転体６０と同速回転するときには、遊星キャリア８３が駆動側内歯車部６２１に対して相対回転しない。このとき、遊星歯車８０は遊星運動せずに、駆動回転体６０および従動回転体７０と連れ回りする。その結果、駆動回転体６０と従動回転体７０との相対回転位相は変化しないため、バルブタイミングは保持されることになる。
【００２８】
一方、制御軸４１が駆動回転体６０よりも高速に回転するときには、遊星キャリア８３が駆動側内歯車部６２１に対して進角側へ相対回転する。このとき、遊星歯車８０は、駆動側外歯車部８１および従動側外歯車部８２が駆動側内歯車部６２１および従動側内歯車部７１に噛合しつつ遊星運動する。その結果、従動回転体７０が駆動回転体６０に対する進角側へと相対回転して、駆動回転体６０と従動回転体７０との相対回転位相が進角側へ変化するため、バルブタイミングは進角する。
【００２９】
また一方、制御軸４１が駆動回転体６０よりも低速に回転する又は駆動回転体６０に対して逆回転するときには、遊星キャリア８３が駆動側内歯車部６２１に対して遅角側へと相対回転する。このとき、遊星歯車８０は、駆動側外歯車部８１および従動側外歯車部８２が駆動側内歯車部６２１および従動側内歯車部７１に噛合しつつ遊星運動する。その結果、従動回転体７０が駆動回転体６０に対して遅角側へ相対回転し、駆動回転体６０と従動回転体７０との相対回転位相が遅角側へ変化するため、バルブタイミングは遅角する。
【００３０】
このような駆動回転体６０と従動回転体７０との相対回転位相の変化は、ストッパ凸部７２が対応するストッパ凹部６１２の内面に周方向に当接することにより規制される。なお、当該規制は１組のストッパ凸部７２及びストッパ凹部６１２によって行われればよく、他の３組は予備的に設けられている。
【００３１】
（特徴構成）
以下、バルブタイミング調整装置１の特徴構成について、図１、図４〜図６を参照して説明する。バルブタイミング調整装置１および接続相手のカム軸２には、駆動回転体６０の内部空間を経由して潤滑液であるオイルを循環させるための流路が形成されている。この流路について以下に説明する。
【００３２】
図１に示すように、カム軸２には、軸方向に延びるカム軸側輸送流路２１が形成されている。カム軸側輸送流路２１は、従動回転体７０に接するカム軸２の端面まで延びており、カム軸側輸送流路２１の一端は従動回転体７０側に開口している。また、カム軸側輸送流路２１の反対側の端部には、カム軸２の側面に開口した連結孔２２が形成されている。カム軸２のカム軸側輸送流路２１および連結孔２２は、請求の範囲に記載の「第一輸送流路」を構成している。
【００３３】
カム軸２と軸方向に接する従動回転体７０の底部７５には、カム軸２側に開口する導入溝７４が形成されている。図４に示すように、導入溝７４はカム軸２と同心の環状に形成されており、導入溝７４の開口はカム軸２のカム軸側輸送流路２１に連通している。また、従動回転体７０の底部７５には、従動回転体７０を軸方向に貫通する導入孔７６が形成されている。導入孔７６の一方の端部は導入溝７４の底に開口しており、他方の端部は駆動回転体６０の内部空間に開口している。導入孔７６および導入溝７４は請求の範囲に記載の「導入流路」を構成する。
【００３４】
駆動回転体６０の内側には、オイルが駆動側内歯車部６２１と駆動側外歯車部８１との嵌合部、従動側内歯車部７１と従動側外歯車部８２との嵌合部、および、転がり軸受８４、８５の摺動面などを循環することを可能にする部材間の隙間としての内部空間が存在する。
【００３５】
カムキャリア３０と軸方向に接するスプロケット部材６１の底部６１４には、スプロケット部材６１を軸方向に貫通する排出孔６１５が形成されている。また、スプロケット部材６１の底部６１４には、カムキャリア３０側に開口する排出溝６１７が形成されている。図４に示すように、排出溝６１７は、カム軸２と同心の環状に形成されている。排出孔６１５の一方の端部は排出溝６１７の底に開口しており、他方の端部は駆動回転体６０の内部空間に開口している。排出孔６１５および排出溝６１７は請求の範囲に記載の「排出流路」を構成する。
【００３６】
スプロケット部材６１の排出孔６１５は、従動回転体７０の導入孔７６よりも径方向外側に配置されている。具体的には、駆動回転体６０の内部空間に開口する排出孔６１５の開口縁６１６の径方向外側の一部が、スプロケット部材６１の内周面６１８に接している。
【００３７】
カムキャリア３０の支持部３１には、カム軸２の軸心に向かって開口する連結溝３３が形成されている。図５に示すように、連結溝３３はカム軸２と同心の環状に形成されており、連結溝３３の開口は、カム軸２の連結孔２２に連通している。また、カムキャリア３０には、連結溝３３とスプロケット部材６１の排出溝６１７とを連通するカムキャリア側輸送流路３２が形成されている。カムキャリア側輸送流路３２の一端は排出溝６１７の開口に連通しており、他端は連結溝３３の底に開口している。カムキャリア３０の連結溝３３およびカムキャリア側輸送流路３２は、請求の範囲に記載の「第二輸送流路」を構成している。
【００３８】
カムキャリア側輸送流路３２は、カムキャリア３０のうち、地方向側を通るように形成される。また、カムキャリア側輸送流路３２には、地方向側に凹む異物溜まり部３４が形成されている。異物溜まり部３４の開口は天方向側を向いている。
【００３９】
以上のように、カム軸２のカム軸側輸送流路２１および連結孔２２、従動回転体７０の導入溝７４および導入孔７６、スプロケット部材６１の排出孔６１５および排出溝６１７、および、カムキャリア３０のカムキャリア側輸送流路３２および連結溝３３によって、駆動回転体６０の内部空間を介してオイルが循環するための循環経路１０が構成される。
【００４０】
なお、非回転体であるカムキャリア３０に対して、カム軸２およびスプロケット部材６１は回転運動するため、スプロケット部材６１の底部６１４およびカム軸２の側面は、カムキャリア３０に対して摺動可能に接している。ここで、排出溝６１７は環状に形成されているため、スプロケット部材６１の回転時にも、排出孔６１５は排出溝６１７を介してカムキャリア側輸送流路３２と常に連通している。同様に、連結溝３３は環状に形成されているため、カム軸２の回転時にも、カムキャリア側輸送流路３２は連結溝３３を介して連結孔２２と常に連通している。
【００４１】
また、カムキャリア３０とスプロケット部材６１との間には、カムキャリア側輸送流路３２および排出溝６１７よりも外側にオイルシール５１が設けられる。オイルシール５１は、カムキャリア３０とスプロケット部材６１との隙間を液密に封止する。同様に、カムキャリア３０とカム軸２との間には、連結溝３３および連結孔２２に対して軸方向外側にオイルシール５２が設けられる。オイルシール５２は、カムキャリア３０とカム軸２との隙間を液密に封止する。
【００４２】
また、図６に示すように、駆動回転体６０には、内部空間からオイルを漏らすことのないように、複数のＯリング５４、５５、５６が設けられる。具体的には、Ｏリング５４はスプロケット部材６１と歯車部材６２との間に設けられ、Ｏリング５５は歯車部材６２と第１カバー部材６３との間に設けられ、Ｏリング５６は第１カバー部材６３と第２カバー部材６４との間に設けられている。これによって、駆動回転体６０を構成する各部材間からオイルが漏れることが防止される。さらに、第２カバー部材６４と制御軸４１との間にはオイルシール５４が設けられ、第２カバー部材６４と制御軸４１との隙間を液密に封止する。
【００４３】
次に、オイルの流れについて図１を参照して説明する。まず、駆動回転体６０の内部空間および循環経路１０を合わせた領域には、オイルが入れられている。このオイルの量は、循環経路１０の総容量よりも多い量である。これによって、駆動回転体６０の内部空間には常にオイルが存在することになる。
【００４４】
内燃機関の始動前、オイルは駆動回転体６０の内部および循環経路１０の地方向側に溜まった状態である。内燃機関が始動すると、駆動回転体６０および従動回転体７０の回転が開始し、駆動回転体６０の内部空間に存在するオイルには遠心力が作用する。
【００４５】
駆動回転体６０の内部空間で遠心力を受けたオイルは、排出孔６１５に流入する。排出孔６１５に流れ込んだオイルは、排出溝６１７を介してカムキャリア側輸送流路３２に流入する。カムキャリア３０は回転しないため、カムキャリア側輸送流路３２を流れるオイルは後から流れてくるオイルに押され、連結溝３３および連結孔２２を介してカム軸側輸送流路２１に流入する。また、カムキャリア３０は回転しないため、カムキャリア側輸送流路３２を流れるオイルに含まれる異物は、重力によって異物溜まり部３４に沈む。
【００４６】
カム軸側輸送流路２１に流入したオイルは、後からカム軸側輸送流路２１に流入してくるオイルに押されて、従動回転体７０の導入溝７４に流入する。オイルは環状の導入溝７４に沿って広がり、導入孔７６を介して駆動回転体６０の内部空間に流れ込む。
【００４７】
駆動回転体６０の内部空間に導入されたオイルは、部材間の嵌合部や摺動面などを潤滑する。具体的には、導入孔７６から流れ込む勢いによってモータ４０側へ軸方向に流れこみ、転がり軸受８４、８５等の摺動面を潤滑する。それと共に、オイルは駆動回転体６０の回転による遠心力によって径方向の外側へ流れ、駆動回転体６０、従動回転体７０、および遊星歯車８０の嵌合部分を潤滑しながら、最終的に駆動回転体６０の内周面６１８に到達する。その後、オイルは後から流れてくるオイルに押され、内周面６１８に繋がる排出孔６１５に流入する。排出孔６１５に流れ込んだオイルは、排出溝６１７を介してカムキャリア側輸送流路３２に再び流入する。
【００４８】
以上に説明するオイルの流れにより、内燃機関の運転中、オイルは常に駆動回転体６０の内部空間および循環経路１０を循環しながら、駆動回転体６０、従動回転体７０および遊星歯車８０の嵌合部、並びに、転がり軸受８４、８５等の摺動面を潤滑する。
【００４９】
（効果）
一般的に、車両には内燃機関に潤滑用オイルを供給するために、オイルポンプ等から構成される潤滑装置が搭載される。潤滑装置のオイルポンプは内燃機関の動力を利用して駆動される。本実施形態に係るバルブタイミング装置１では、駆動回転体６０の回転によってオイルが循環するため、オイルポンプからバルブタイミング装置１にオイルを供給する必要がない。よって、オイルポンプの吐出力を抑制することができ、ひいては内燃機関の燃費を向上させることができる。
【００５０】
また、本実施形態に係るバルブタイミング装置１によれば、循環経路１０中に異物溜まり３４が設けられているため、オイルに混入した異物をオイルから除去することができる。さらに、異物溜まり部３４は、非回転体であるカムキャリア３０内で地方向側に凹むように形成されているため、内燃機関が停止した場合にも異物が異物溜まり部３４から流れ出る恐れはない。よって、循環するオイルを清浄に保つことができる。
【００５１】
また、カムキャリア３０とスプロケット部材６１、およびカムキャリア３０とカム軸２というように、相対回転する２つの部材の間には少なからず隙間が必要である。相対回転する２つの部材にそれぞれ形成された流路を接続する構成では、上記隙間を通じてオイルが漏れる可能性がある。そこで、本実施形態に係るバルブタイミング装置１では、カムキャリア３０とスプロケット部材６１との間の隙間のうち、カムキャリア側輸送流路３２および排出溝６１７に対して外側にはオイルシール５１を設けている。このため、オイルの漏れを防ぐことができる。同様に、カムキャリア３０とカム軸２との間の隙間うち、連結溝３３と連結孔２２に対して軸方向外側にオイルシール５２が設けられていることにより、オイルの漏れを防ぐことができる。
【００５２】
（他の実施形態）
上述の実施形態では、カムキャリア側輸送流路３２に開口する凹状の異物溜まり部３４が形成されているが、本発明はこれに限られず、カムキャリア側輸送流路３２にオイル中の異物を捕捉するフィルタ３５が設けられていてもよい。例えば、異物溜まり部３４と共にフィルタ３５を設置してもよいし、フィルタ３５を単独で設置してもよい。
【００５３】
また、上述の実施形態では、カムキャリア側輸送流路３２と排出孔１５とを連通させる環状溝に関して、上述の実施形態ではスプロケット部材６１に環状の排出溝６１７が形成されているが、本発明はこれに限られず、カムキャリア３０に環状の排出溝が形成されていてもよい。同様に、カムキャリア側輸送流路３２と連結孔２２とを連通させる環状溝に関して、上述の実施形態ではカムキャリア３０に環状の連結溝３３が形成されているが、本発明はこれに限られず、カム軸２の連結孔２２が環状の連結溝として形成されていてもよい。
【００５４】
また、上述の実施形態では、排出孔６１５がスプロケット部材６１を軸方向に貫通しているが、径方向に貫通していてもよい。この場合、排出孔６１５の開口縁６１６の全部が、スプロケット部材６１の内周面６１８に接しており、排出溝６１７はカムキャリア３０と径方向に接するスプロケット部材６１の外周部に形成される。
【００５５】
また、上述の実施形態では、カムキャリア３０が静止体を構成しているが、本発明はこれに限られない。例えば、カムキャリア３０とは別体の静止体が、駆動回転体６０の外側に配置され、カムキャリアの端部を支持していてもよい。
【００５６】
以上、本発明はこのような実施形態に限定されるものではなく、発明の趣旨を逸脱しない範囲において、種々の形態で実施することができる。
【符号の説明】
【００５７】
１    ・・・バルブタイミング調整装置
２    ・・・カム軸（従動軸）
２１  ・・・カム軸側輸送流路（第一輸送流路）
２２  ・・・連結孔（第一輸送流路）
３０  ・・・カムキャリア（静止体）
３２  ・・・カムキャリア側輸送流路（第二輸送流路）
３３  ・・・連結溝（第二輸送流路）
６０  ・・・駆動回転体（第一回転体）
６１５・・・排出孔（排出流路）
６１７・・・排出溝（排出流路）
６１８・・・内周面  
７０  ・・・従動回転体（第二回転体）
７４  ・・・導入溝（導入流路）
７６  ・・・導入孔（導入流路）
８０  ・・・遊星歯車（位相調整機構）
８３  ・・・遊星キャリア（位相調整機構）
【図１】
2015040509.tif 000003
【図２】
2015040509.tif 000004
【図３】
2015040509.tif 000005
【図４】
2015040509.tif 000006
【図５】
2015040509.tif 000007
【図６】
2015040509.tif 000008
【図７】
2015040509.tif 000009